(57)【要約】【課題】  再生期限付きであって、期限終了後も使用可能な記録媒体を実現する。【解決手段】  光ディスクは、所定時間経過後には情報の読み出しができなくなるＲＯＭ領域２０１と、期限無しで記録情報を読み出し可能なＲＯＭ領域２０２と、書き換え可能なリード（read）／ライト（write）領域２０３を具備する。ＲＯＭ領域２０１には、暗号化されたコンテンツの情報を解読する為の解読キーの情報が記録されている。領域２０２には、この解読キーにより暗号化された音声及び／又は映像などのコンテンツ情報が記録されている。【選択図】  図２
2006031897.tif 000002
【特許請求の範囲】
【請求項１】
所定時間経過後に記録情報の読み出しが不可能になる再生期限付きＲＯＭ領域と、
情報の書き換えが不可能であって、記録情報の読み出しに期限が無いＲＯＭ領域
とを具備することを特徴とする記録媒体。
【請求項２】
前記ＲＯＭ領域には暗号化情報が記録され、前記再生期限付きＲＯＭ領域には、前記暗号化情報を解読する解読キー情報が記録されることを特徴とする請求項１に記載の記録媒体。
【請求項３】
前記再生期限付きＲＯＭ領域に暗号化情報と前記暗号化情報を解読する解読キー情報とが記録されていることを特徴とする請求項１に記載の記録媒体。
【請求項４】
前記記録媒体はレーザ光による情報の読み出し書き込みを行う光ディスクであることを特徴とする請求項１乃至３の何れか1項に記載の記録媒体。
【請求項５】
請求項１〜４の何れか１項に記載の記録媒体から情報信号を再生する再生手段を備えることを特徴とする再生装置。
【発明の詳細な説明】
【技術分野】
【０００１】
本発明は、情報を記録する記録媒体及びその再生装置に関する。
【背景技術】
【０００２】
現在、音楽や映像コンテンツが記録される記録媒体として、コンパクトディスク（ＣＤ）及びやデジタル多用途ディスク（ＤＶＤ）等の光ディスクが多く用いられている。これらのコンテンツが記録されたディスクを再生期限付きで視聴する構成、及び、コンテンツの複製を防止する構成が、特許文献１乃至４に記載されている。
【０００３】
特許文献１に記載の光ディスクは、情報を記録してから所定の時間経過後に反射状態が変化する素材を使用する。これにより、情報を記録してから所定時間、経過すると、その部分の記録情報は再生不可能になる。
【０００４】
特許文献２に記載の光ディスクは、空気に触れてから所定時間経過すると、レーザ光の透過状態が変化する素材を使用する。これにより、光ディスクのパッケージを開封しから所定時間、経過すると、その部分の記録情報を再製不可能になる。
【０００５】
特許文献３に記載の光ディスクでは、ディスク上に書き換え不可能なＲＯＭ部を設け、このＲＯＭ部に暗号を解読する解読キーと、解読キーによって動作する解読プログラムとを記録しておく。これにより、他のディスクに複製する場合でも、ＲＯＭ部の解読キーと解読プログラムはコピーできないので、実質的に複製を防止できる。
【０００６】
特許文献４には、ＤＶＤの不正コピーに対する著作権保護技術として、ＣＳＳ（Ｃｏｎｔｅｎｔ  Ｓｃｒａｍｂｌｅ  Ｓｙｓｔｅｍ）が記載されている。
【特許文献１】特開２００２−３６７２２１号公報
【特許文献２】米国特許第６５３７６３５号公報
【特許文献３】特開平７−２２６０２４号公報
【特許文献４】特開２００３−２０８７５５号公報
【発明の開示】
【発明が解決しようとする課題】
【０００７】
特許文献１，２に記載の従来例では、ディスク全体が再生期限付きになる。そのため、再生期間を制限することには有効であるが、再生期限が過ぎると、このディスクは全く使用できなくなる。すなわち、多数の再生期限付きディスクを購入すると、期限後にこれらのディスクを廃棄しなくてはならず、廃棄の手間が増すだけでなく、自然環境保護の点でも問題がある。また、再生期限付きとはいえ、複製防止及び著作権保護には有効ではない。
【０００８】
特許文献３，４に記載の技術では、暗号化されたコンテンツを解読する解読キーをＲＯＭ部に記録しているので、購入後の一定期間のみ再生を可能にするといった利用法を実現するのは難しい。
【０００９】
本発明は、このような問題点を解決する記録媒体及び再生装置を提示することを目的とする。
【課題を解決するための手段】
【００１０】
本発明に係る記録媒体は、所定時間経過後に記録情報の読み出しが不可能になる再生期限付きＲＯＭ領域と、情報の書き換えが不可能であって、記録情報の読み出しに期限が無いＲＯＭ領域とを具備することを特徴とする。
【００１１】
本発明に係る再生装置は、上述の記録媒体を再生する再生手段を具備することを特徴とする。
【発明の効果】
【００１２】
本発明の記録媒体によればコンテンツの期間を限定した再生を可能にすると共にコンテンツが記録された光ディスク等の記録媒体を再生期限が終了した後でも廃棄する事なく有効に活用することが可能になる。またコンテンツの複製防止を行う事も可能となる。
【発明を実施するための最良の形態】
【００１３】
以下、図面を参照して、本発明の実施例を詳細に説明する。
【実施例１】
【００１４】
図１は、本発明の一実施例である光ディスクを使用する記録再生装置１００の概略構成ブロック図を示す。１０１は、外部機器とデータの入出力を行うＩ／Ｆ部である。１０２は記録再生装置１００全体を制御するコントローラであり、内部にＣＰＵを含む。メモリ部１０３には、ＣＰＵを制御するプログラム及びデータの記憶に使用され、光ディスク１０６にデータを記録再生する際のワークメモリとして使用される。１０４は光ディスク１０６にデータを記録するデータ記録部、１０５は光ディスク１０６からデータを再生するデータ再生部である。
【００１５】
図２は、光ディスク１０６の詳細な構造例を示す。２０１は、情報の書き換えが不可能なＲＯＭ部であり、所定時間経過後には情報の読み出しができなくなる構造となっている再生期限付きＲＯＭ領域であり、具体的には、特許文献１及び特許文献２等に記載されている素材又は構成からなる。
【００１６】
２０２は、情報の書き換えが不可能なＲＯＭ部であるが、エンボスビットなどで情報の凹凸が記録されており、情報の読み出しが常に可能である。２０３は、書き換えが可能なリード（read）／ライト（write）領域である。
【００１７】
ＲＯＭ領域２０１には、暗号化されたコンテンツの情報を解読する為の解読キーの情報が記録されている。領域２０２には、この解読キーにより暗号化された音声及び／又は映像などのコンテンツ情報が記録されている。
【００１８】
図３は、図１に示す記録再生装置１００の再生動作の流れを説明するフローチャートである。図３を参照して、再生動作を説明する。
【００１９】
ディスクの再生が開始されると、まず、Ｓ３００で再生対象の領域がディスクのどの領域であるかが判定される。どの領域を再生するかは、記録再生装置１００を制御する図示しない上位のコントローラからファイルシステム等により指示される。Ｓ３００で再生対象の領域が、ＲＯＭ領域２０１又は２０２と判定されると、Ｓ３０１に処理が移行する。
【００２０】
Ｓ３０１では、再生期限付きＲＯＭ領域２０１に記録される解読キー情報を再生する。次のＳ３０２では、解読キー情報を正しく再生できたか否かを判定する。再生期限内の場合、再生期限付きＲＯＭ領域２０１のデータは正しく再生できるので、Ｓ３０３に処理が移行する。
【００２１】
Ｓ３０３では、ＲＯＭ領域２０２に記録されている暗号化されたコンテンツ情報を再生する。その後のＳ３０４では、Ｓ３０１の処理で読み込んだ解読キー情報を使用して、暗号化されたコンテンツを解読する。次のＳ３０５で、正しく解読できたか否かを判定する。正しく解読できた場合、Ｓ３０６で、解読された音楽又は映像等のコンテンツ情報をＩ/Ｆ部１０１を介して外部に出力する。
【００２２】
再生期限を超過している場合、再生期限付きＲＯＭ領域２０１にある解読キー情報が読み出せない状態となっている。従って、この場合には、Ｓ３０２で解読キー情報が再生不可と判定され、処理はＳ３０７に移行する。
【００２３】
Ｓ３０７では、記録再生装置のメモリ内に解読キー情報があるかどうかが判定される。解読キー情報は、基本的には、ディスクの再生期限付きＲＯＭ領域２０１に書き込まれているが、再生期限が超過した場合には、コンテンツ提供業者に料金を支払うことで、解読キー情報のみを購入することも可能である。解読キー情報を購入している場合には、記録再生装置１００のメモリ１０３内に解読キー情報を予め外部から入力しておく。すると、メモリ内に解読キー情報があると判断されるので、処理はＳ３０３に移行し、解読キー情報を光ディスクから再生できた時と同様に、コンテンツを再生することができる。
【００２４】
ディスクの再生期限が終了しており、Ｓ３０７の処理でもメモリ内に解読キー情報が無いと判断された場合、Ｓ３０８の処理に移行し、再生不可能である旨を表示する。
【００２５】
また、Ｓ３００で、再生対象の領域がリード／ライト領域２０３である場合、処理がＳ３０９に移行し、リード／ライト領域２０３の記録情報を再生し、Ｉ/Ｆ部１０１を介して外部に出力する。
【００２６】
図２に示す構造のディスクに書き込みを行う場合、リード／ライト領域２０３にデータを書き込む。つまり、リード／ライト領域２０３には、再生期限に関係なく、データを記録再生できる。
【００２７】
次に、図２に示すディスクがＤＶＤ−Ｒ等に代表される他のディスクにコピーされた場合の動作を説明する。ＤＶＤ−Ｒ規格の光ディスクでは、データの記録が可能であり、一般的に、ビットバイビットコピー（Ｂｉｔ  Ｂｙ  Ｂｉｔ  Ｃｏｐｙ）と呼ばれる手法で他のディスクから再生したデータをそのまま記録する事が可能である。このような手法で図２のディスクをコピーしたＤＶＤ−Ｒの記録内容例を図４に示す。図４に示すように、領域２０１に記録されるコンテンツ解読キー情報は、図４の領域４０１にコピーされ、領域２０２に記録される暗号化されたコンテンツ情報は、図４の領域４０２にコピーされる。しかし、図４のＤＣＤ−Ｒのリードインと呼ばれる領域４００には、エンボス構造で所定のデータが予め書き込まれているので、コンテンツの解読キー情報を正しくコピーする事ができない。つまり、図４に示すようにコピーされたディスクを再生した場合、解読キー情報が本来の内容とは違っているので、暗号化されたコンテンツ情報を正しく解読できない。図３に示すフローチャートにおけるステップＳ３０５の処理で、正しく解読できないと判定され、処理はＳ３０８に移行し、再生不可能である旨が表示される。
【００２８】
以上説明したように、コピーされたディスクに対しては、従来のＤＶＤビデオの著作件保護技術「ＣＳＳ」と同様の動作により、再生を禁止することが可能となる。さらに、再生期限付きＲＯＭ領域２０１にある解読キー情報は、再生期限が終了すると読み出せなくなるので、再生期限が終了したディスクをコピーしたとしても、コピーされたディスクには、解読キー情報が全くコピーされないので、不正コピーをより一層困難にする効果もある。
【００２９】
図２に示すディスクがＤＶＤオーディオ形式でデータが記録されたものである場合には、ＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）と称される公知の著作件保護技術を用いて、再生を禁止しても良い。
【００３０】
本発明の記録媒体は、図２で示した構成以外でも、図５及び図６に示すような構成が可能である。図５は、ディスク上に再生期限付きＲＯＭ領域５０１とリード／ライト領域５０２を設けている。図２に示す構成と異なる点は、再生期限付きＲＯＭ領域５０１内に暗号化されたコンテンツ情報と解読キー情報の両方が記録されている点にある。図５に示す構成を採用することで、図２に示すディスクの場合と同様に、再生期限付きのディスクとする事ができ、再生期限終了後も、リード／ライト領域５０２に対して任意のデータを記録再生する事が可能になる。コピーされた場合でも、図２に示すディスクの場合と同様にコンテンツ情報と解読キー情報が正しく読み出せないので、再生を禁止することが可能となる。
【００３１】
図６は、ディスク上に再生期限付きＲＯＭ領域６０１と６０２で示すＲＯＭ領域６０２を具備する。図２の構成と異なる点は、リード／ライト領域が無く、広いＲＯＭ領域６０２に暗号化されたコンテンツ情報を記録している点にある。期限付きで再生可能とするコンテンツの情報量が多い場合、図６に示す構成にしても良い。この場合も、図２で示したディスクの場合と同様に、再生期限付きのディスクとして利用できる。再生期限終了後は、コンテンツ提供者から解読キーの情報を購入することにより、継続して再生が可能である。行うことが可能となる。
【００３２】
リード／ライト領域２０３，５０２は、１回だけ書き込みが可能な領域にしても良いし、暗号化されていない音声又は映像を自由に再生できる再生期限なしのＲＯＭ領域としても良い。
【００３３】
図７は、図２に示す記録媒体と図１に示す記録再生装置１００を用いたビデオカメラの概略構成ブロック図を示す。図７に示すビデオカメラを使用した場合の効果的な使用例を図８及び図9を参照して説明する。
【００３４】
図８は、カメラで撮影した画像と本実施例のディスク内に暗号化して記録されているコンテンツを合成する例である。例えば、ＲＯＭ領域２０２に記録されている暗号化されたコンテンツが、図８（Ａ）に示すような遊園地のキャラクタを使用したフレーム画像８０１であった場合、図８（Ｂ）に示すような、カメラで撮影した画像８０２と合成することにより、図８（Ｃ）に示す合成画像を作成することができる。
【００３５】
図８（Ｃ）に示すように合成された画像は、リード／ライト領域２０３に記録される。再生期限付きＲＯＭ領域２０１の再生期間内では、撮影したカメラ画像と自由に合成画像を作成する事ができる。再生期限付きＲＯＭ領域２０１の再生期間が終了した場合、キャラクタフレーム画像８０１は再生できなくなるので、新たに撮影したカメラ画像と合成することはできない。しかし、すでにカメラ画像と合成済みの画像は、リード／ライト領域２０３に記録されているので、この記録画像を再生することにより閲覧可能である。
【００３６】
ＲＯＭ領域２０２に記録される暗号化されたコンテンツは、図８に示すような静止フレーム画像だけでなく、図９（Ａ）に示すような動画像９０１でも良い。このように動くキャラクタ画像と、図９（Ｂ）に示すような、カメラで撮影された動画像を合成することにより、図９（Ｃ）に示す合成画像を作成することも可能である。
【００３７】
このように、本発明により、広い用途に利用可能な再生期間限定の記録媒体を実現できる。再生期間を限定できるだけでなく、コンテンツが記録された光ディスク等の記録媒体を再生期限が終了した後でも、ディスクを廃棄する事なく有効に活用することが可能になる。またコンテンツが記録された媒体の複製を防止できる。
【００３８】
記録媒体として光ディスクを例に説明したが、情報の読み出しが所定の期限内で制限できる構成のものであれば、その他の形態・構造の記録媒体にも適用可能である。例えば、光磁気ディスク、光カード、及び揮発性メモリを併用したメモリカード等にも適用できることは言うまでも無い。
【図面の簡単な説明】
【００３９】
【図１】本発明に係る記録媒体を使用する記録再生装置の概略構成ブロック図である。
【図２】本実施例の光ディスクの構造例を示す図である。
【図３】記録再生装置の動作フローチャートである。
【図４】ＤＶＤ−Ｒにコピーされた状態を示す図である。
【図５】光ディスクの構造例を示す図である。
【図６】光ディスクの別の構造例を示す図である。
【図７】ビデオカメラの概略構成図である。
【図８】本実施例の記録媒体を使用する画像合成例である。
【図９】本実施例の記録媒体を使用する画像合成の別例である。
【符号の説明】
【００４０】
１００：記録再生装置
１０１：外部Ｉ／Ｆ
１０２：コントローラ
１０３：メモリ
１０４：記録処理部
１０５：再生処理部
１０６：光ディスク
【図１】
2006031897.tif 000003
【図２】
2006031897.tif 000004
【図３】
2006031897.tif 000005
【図４】
2006031897.tif 000006
【図５】
2006031897.tif 000007
【図６】
2006031897.tif 000008
【図７】
2006031897.tif 000009
【図８】
2006031897.tif 000010
【図９】
2006031897.tif 000011